(57)【特許請求の範囲】
【請求項１】
レーザー光を光源とする照明装置であって、
内部に前記レーザー光の光路を有し、前記光路を通過した前記レーザー光を放出する開口部を一端面に有する筒状の筐体と、
前記開口部に対向し、当該開口部を通過した前記レーザー光が照射されることにより前記レーザー光を異なる波長に変換して所定の色の光を発する発光部と、
前記筐体の一端部に装着されて、前記発光部から発せられた光を放出するキャップ部と、
前記筐体に前記キャップ部が装着されると前記光路を開放し、前記筐体から前記キャップ部が取り外されると前記光路を閉塞するシャッター部と、
を備え、
前記筐体には、前記光路に交差するように延在する穴部が形成されており、
前記シャッター部は、前記穴部に配置され、貫通孔を有する開閉部材と、前記開閉部材に対して所定の方向に付勢する付勢部とを備え、
前記開閉部材は、前記貫通孔と前記光路とが連通して前記光路を開放する開放位置と、前記貫通孔が前記光路から外れて前記光路を閉塞する閉塞位置との間を移動可能であり、
前記キャップ部が前記筐体の一端部に装着されると、前記キャップ部によって前記開閉部材が前記穴部内に押し込まれることで、前記開閉部材が前記開放位置に配置され、
前記キャップ部が前記筐体の一端部から取り外されると、前記付勢部からの付勢によって前記開閉部材が前記開放位置から移動して前記閉塞位置に移動する
照明装置。
【請求項２】
前記筐体の一端部には雄ネジが形成されており、
前記キャップ部には、前記雄ネジに螺合する雌ネジが形成されており、
前記穴部の一端部は、前記雄ネジの周面の一部から露出されており、
前記キャップ部の前記雌ネジは、前記筐体の一端部の前記雄ネジに螺合する際に、前記穴部内の前記開閉部材を押し込むことで、前記開閉部材を前記開放位置に配置する
請求項１に記載の照明装置。
【発明の詳細な説明】
【技術分野】
【０００１】
本発明は、レーザー光を光源とする照明装置に関する。
【背景技術】
【０００２】
従来、レーザー光を励起光として蛍光体を発光させ、所望の光色に変換して照明する照明装置が知られている（例えば、特許文献１参照）。このような照明装置においては、レーザー光の光源及び蛍光体が筐体内に収容されている。
【先行技術文献】
【特許文献】
【０００３】
【特許文献１】特開２００３−２９５３１９号公報
【発明の概要】
【発明が解決しようとする課題】
【０００４】
ところで、例えばメンテナンスなどによって一時的に筐体を分解することもあるが、この際、万が一光源が発光していると、作業者の目にレーザー光が照射されるおそれがある。
【０００５】
このため、本発明の課題は、分解時に光源が万が一発光したとしても、外部にレーザー光が照射されないようにすることで、アイセーフ機能を高めることである。
【課題を解決するための手段】
【０００６】
本発明の一態様に係る照明装置は、レーザー光を光源とする照明装置であって、内部にレーザー光の光路を有し、光路を通過したレーザー光を放出する開口部を一端面に有する筒状の筐体と、開口部に対向し、当該開口部を通過したレーザー光が照射されることによりレーザー光を異なる波長に変換して所定の色の光を発する発光部と、筐体の一端部に装着されて、発光部から発せられた光を放出するキャップ部と、筐体にキャップ部が装着されると光路を開放し、筐体からキャップ部が取り外されると光路を閉塞するシャッター部と、を備える。
【発明の効果】
【０００７】
本発明によれば、分解時に光源が万が一発光したとしても、外部にレーザー光が照射されることを防止し、アイセーフ機能を高めることができる。
【図面の簡単な説明】
【０００８】
【図１】実施の形態に係る照明装置の使用態様を示す斜視図である。
【図２】実施の形態に係る照明装置の概略構成を示す斜視図である。
【図３】実施の形態に係る照明装置の概略構成を示す断面図である。
【図４】実施の形態に係る照明装置を図３のＩＶ−ＩＶ切断線を含む切断面から見た断面図である。
【図５】実施の形態に係る照明装置の概略構成を示す断面図である。
【図６】実施の形態に係る照明装置を図５のＶＩ−ＶＩ切断線を含む切断面から見た断面図である。
【図７】変形例に係る照明装置の概略構成を示す断面図である。
【図８】変形例に係る照明装置の概略構成を示す断面図である。
【発明を実施するための形態】
【０００９】
以下では、本発明の実施の形態に係る照明装置について、図面を用いて説明する。なお、以下に説明する実施の形態は、いずれも本発明の好ましい一具体例を示すものである。従って、以下の実施の形態で示される数値、形状、材料、構成要素、構成要素の配置及び接続形態等は、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。また、各図において、同じ構成部材については同じ符号を付している。
【００１１】
（実施の形態）
以下、実施の形態について説明する。
【００１２】
［照明装置の使用態様］
まず、実施の形態に係る照明装置の使用態様について説明する。
【００１３】
図１は、実施の形態に係る照明装置の使用態様を示す斜視図である。
【００１４】
図１に示すように、照明装置１００は、建築物の一つであるショーウィンドウ３０１の天井、及び、床の複数箇所に取り付けられており、マネキン３０３を照らすスポットライトとして機能している。また、ショーウィンドウ３０１の外には、光源装置１４９が備えられている。光源装置１４９から発せられたレーザー光は、ショーウィンドウ３０１の外部に配線された光ファイバー１５０によって各照明装置１００まで伝送されている。
【００１５】
光源装置１４９は、レーザー光を発生させ、光ファイバー１５０を用いて複数の照明装置１００に対しレーザー光を供給する光源である。具体的に例えば、光源装置１４９は、青紫〜青色（４３０〜４９０ｎｍ）の波長のレーザー光を放射する半導体レーザー素子を複数個備えている。このように、半導体レーザー素子を１箇所に配置することで、半導体レーザー素子を冷却する冷却装置を集中して配置することができ、冷却効率を高めることができるとともに、排熱などを水の加温などに利用することが可能となる。
【００１６】
照明装置１００は、光ファイバー１５０から伝送されたレーザー光を励起光源として白色光を放射する装置である。
【００１７】
［照明装置の構成］
以下、照明装置１００の構成について説明する。
【００１８】
図２は、実施の形態に係る照明装置１００の概略構成を示す斜視図である。図３は、実施の形態に係る照明装置１００の概略構成を示す断面図である。図４は、実施の形態に係る照明装置１００を図３のＩＶ−ＩＶ切断線を含む切断面から見た断面図である。
【００１９】
図２〜図４に示すように、照明装置１００は、筐体２０と、発光部３０と、集光レンズ４０と、キャップ部５０と、シャッター部６０とを備えている。
【００２０】
［筐体］
筐体２０は、内部にレーザー光Ｌの光路２１を有し、光路２１を通過したレーザー光Ｌを放出する開口部２２を一端面に有する筒状の筐体である。具体的には、筐体２０の内部空間がレーザー光Ｌの光路となる。なお、本実施の形態では、長尺な円柱状の外形と、円柱状の内部空間とを有する筐体２０を例示するが、筐体は、内部が中空の筒体であればその形状は如何様でもよい。筐体２０の他の形態としては、例えば角筒などが挙げられる。そして、筐体２０は、例えばアルミニウム、銅などの熱伝導性が比較的高い金属により形成されている。
【００２１】
また、筐体２０の一端部（上端部）には、その周囲に雄ネジ２５と、雄ネジ２５の周面の一部を開放させる穴部２６とが形成されている。穴部２６は、光路２１に直交するように延在した長尺状の穴部であり、一端部が雄ネジ２５の内方に配置され、他端部が雄ネジ２５の周面から露出されている。なお、穴部２６においては、光路２１に対して交差していればよい。
【００２２】
筐体２０の他端面には、外部と光路２１とを連通する連通口２４が形成されている。連通口２４には、光ファイバー１５０の先端部に取り付けられたフェルール１５１が装着される。フェルール１５１は、例えば、ステンレス、セラミックスまたは樹脂等から形成された筒状の部材であり、連通口２４に嵌合されることで、光ファイバー１５０を筐体２０に固定する。
【００２３】
レーザー光Ｌの光路２１は、円柱状の空間であり、レーザー光Ｌの光軸Ｌ１上に集光レンズ４０が配置されている。
【００２４】
筐体２０の一端面には、レーザー光Ｌを外部に放出する開口部２２が形成されている。開口部２２は、レーザー光Ｌの光軸Ｌ１方向から見ると円形状に形成されている。なお、以降の説明において、光軸Ｌ１方向から見ることを光軸方向視と称す。
【００２５】
［発光部］
発光部３０は、開口部２２に対向し、当該開口部２２を通過したレーザー光Ｌが照射されることによりレーザー光を異なる波長に変換して、所定の色の光を発する光学素子である。発光部３０は、開口部２２を塞ぐように筐体２０の一端面に接触して配置されている。発光部３０を筐体２０の一端面に固定する方式としては、例えば接着剤によって筐体２０の一端面に発光部３０を接着固定する方式、図示しない周知の固定機構によって筐体２０の一端面に発光部３０を固定する方式等が挙げられる。
【００２６】
そして、発光部３０は、基板３１と、蛍光部３２とを備えている。
【００２７】
基板３１は、蛍光部３２を保持した状態で、筐体２０の一端面に取り付けられた板体である。基板３１は、例えばガラス、サファイアなどの透光性材料から形成されている。基板３１は、矩形板状に形成されている。基板３１の一例としては、光軸方向視で正方形をなす板体である。この基板３１の外側を向く主面に蛍光部３２が積層されている。
【００２８】
蛍光部３２は、例えば、レーザー光Ｌによって励起されて蛍光を発する蛍光体の粒子を分散状態で備えており、レーザー光Ｌの照射により蛍光体が蛍光を発する。このため、蛍光部３２の外方の主面が発光面となる。具体的に、蛍光部３２は、透明な樹脂やガラスからなる基材の内部に蛍光体の粒子が分散されているもの、または、蛍光体の粒子を固めたもの等を例示できる。つまり蛍光部３２は、レーザー光を蛍光に変換する波長変換部材であると言える。蛍光部３２は、光軸方向視で円形の板状に形成されて基板３１に積層されている。
【００２９】
本実施の形態の場合、蛍光部３２は白色光を放射するものであり、レーザー光Ｌの照射によって赤色を発光する第一蛍光体、緑色を発光する第二蛍光体の２種類の蛍光体が適切な割合で含まれている。
【００３０】
蛍光体の種類及び特性は特に限定されるものではないが、比較的高い出力のレーザー光が励起光となるため、熱耐性が高いものが望ましい。また、蛍光体を分散状態で保持する基材の種類は特に限定されるものではないが、透明性が高ければ、白色光の放射効率も高くなるのでよい。また、比較的高い出力のレーザー光が入射するため、耐熱性の高いものがよい。
【００３１】
ここで、発光部３０は、レーザー光Ｌのビーム径を変更させる光学系を備えていてもよく、レーザー光を蛍光体に効率よく照射するための機能膜、光を散乱させる散乱粒子などを備えていてもかまわない。
【００３２】
［集光レンズ］
集光レンズ４０は、筐体２０の光路２１内に配置されて、レーザー光Ｌを発光部３０に集光するレンズである。具体的に、集光レンズ４０は、発光部３０におけるレーザー光Ｌのスポット径を所定の範囲に収めることのできる位置に配置されている。ここで、発光部３０におけるレーザー光Ｌのスポット形状は光軸方向視で円形である。また、集光レンズ４０は、光軸方向視で円形であり、筐体２０の光路２１と同形状となっている。
【００３３】
ここで、筐体２０においては、光路２１の所定位置で集光レンズ４０を保持するための周知の保持機構（図示省略）を備えている。また、本実施の形態では、１つの集光レンズ４０によってレーザー光Ｌを集光する場合を例示したが、複数のレンズによってレーザー光Ｌを集光してもよい。
【００３４】
［キャップ部］
キャップ部５０は、筐体２０の一端部に装着されて、発光部３０から発せられた光を放出するキャップ部である。キャップ部５０は、樹脂或いは金属などから形成されている。放熱性、耐熱性の観点からすると、キャップ部５０は金属から形成されていることが望ましい。キャップ部５０は、上部を底とし、下部が開放された有底の筒体である。キャップ部５０の内周面には、筐体２０の雄ネジ２５が螺合する雌ネジ５３が形成されている。キャップ部５０の雌ネジ５３が筐体２０の雄ネジ２５に螺合すると、キャップ部５０が筐体２０に装着され、キャップ部５０の雌ネジ５３が筐体２０の雄ネジ２５から離脱すると、キャップ部５０が筐体２０から取り外される。
【００３５】
また、キャップ部５０の底は、発光部３０の蛍光部３２に対向しており、当該底には、蛍光部３２から発せられた光を外部に放出するための開口５１が形成されている。キャップ部５０には、開口５１を閉塞する光学部材５２が開口５１内に取り付けられている。光学部材５２は、蛍光部３２から発せられた光を透過するものであれば、いかなる光学部材であってもよい。光学部材５２としては、例えば、透光部材、光拡散部材、集光部材などが挙げられる。なお、キャップ部５０全体がこれらの部材の一種によって一体成形されていてもよい。
【００３６】
［シャッター部］
図５は、実施の形態に係る照明装置１００の概略構成を示す断面図であり、図３に対応する図である。図６は、実施の形態に係る照明装置１００を図５のＶＩ−ＶＩ切断線を含む切断面から見た断面図であり、図４に対応する図である。
【００３７】
なお、図３及び図４はシャッター部６０が光路２１を開放した状態を示していたが、図５及び図６はシャッター部６０が光路２１を閉塞した状態を示している。
【００３８】
図３〜図６に示すように、シャッター部６０は、筐体２０にキャップ部５０が装着されると光路２１を開放し、筐体２０からキャップ部５０が取り外されると光路２１を閉塞する機構部である。具体的には、シャッター部６０は、開閉部材６１と、付勢部６２とを備えている。
【００３９】
開閉部材６１は、長尺な棒状部材であり、例えば遮光性を有する金属または樹脂などにより形成されている。開閉部材６１は、光路２１に対して交差するように、筐体２０の穴部２６の内部に収容されている。開閉部材６１の一端部には、筐体２０の光路２１を開放するための貫通孔６１１が形成されている。この貫通孔６１１と光路２１とが連通し、光路２１を開放する開閉部材６１の位置を「開放位置」とする（図３及び図４参照）。また、開放位置から移動して、光路２１の全体を開閉部材６１自体で閉塞する位置を「閉塞位置」とする（図５及び図６参照）。開閉部材６１は、開放位置と閉塞位置との間で移動自在となっている。開閉部材６１が閉塞位置にある場合には、開閉部材６１の他端部は穴部２６から突出している。開閉部材６１の他端部は、キャップ部５０が筐体２０に装着される際に、当該筐体２０の雌ネジ５３によって穴部２６内に押し込められる。これにより、開閉部材６１が開放位置に移動する。雄ネジ２５のねじ山の高さ（ひっかかり高さ）は、閉塞位置にある開閉部材６１を、開放位置にまで移動させることができる値に設定されていることが望ましい。
【００４０】
付勢部６２は、開閉部材６１に対して所定の方向に付勢する、例えばバネまたはゴムなどの弾性体である。なお、本実施の形態では、一例として、付勢部６２をバネとして図示している。付勢部６２は、穴部２６の一端面と、開閉部材６１の一端面との間に介在した状態で、穴部２６の一端面と、開閉部材６１の一端面とのそれぞれに固定されている。そして、キャップ部５０が筐体２０に装着されることにより開閉部材６１が開放位置にあると、付勢部６２は開閉部材６１によって圧縮される。つまり、開放位置にある開閉部材６１は、圧縮された付勢部６２によって穴部２６から抜け出る方向、換言すると開放位置から離れる方向に付勢された状態となる。そして、キャップ部５０が筐体２０から取り外されると、付勢部６２からの付勢によって開閉部材６１が開放位置から移動することで、貫通孔６１１が光路２１から外れて、開閉部材６１が光路２１を閉塞する。
【００４１】
［照明装置の作用］
次に、照明装置１００の作用について説明する。
【００４２】
通常時においては図３及び図４に示すように、筐体２０にキャップ部５０が装着されており、開閉部材６１は開放位置に配置されている。
【００４３】
そして、光ファイバー１５０から筐体２０の光路２１に照射されたレーザー光Ｌは、集光レンズ４０によって発光部３０の基板３１に対して集光される。基板３１を介して蛍光部３２に入射したレーザー光Ｌは、当該蛍光部３２によって白色光となって、光学部材５２からキャップ部５０の外方に放出される。
【００４４】
一方、メンテナンス時においては図５及び図６に示すように、筐体２０からキャップ部５０が取り外されて分解される。これにより、開閉部材６１には、キャップ部５０の雌ネジ５３から受ける規制が解除されるので、付勢部６２からの付勢によって開閉部材６１が開放位置から閉塞位置に移動する。したがって、光路２１が開閉部材６１によって閉塞されて、レーザー光Ｌがこれ以上進出しない。つまり、交換などのために筐体２０から発光部３０を取り外す際に、レーザー光Ｌが光源装置１４９から万が一出力されていたとしても、レーザー光Ｌが筐体２０の外部に出射することを開閉部材６１が防止している。
【００４５】
［効果など］
以上のように、本実施の形態によれば、レーザー光Ｌを光源とする照明装置１００は、内部にレーザー光Ｌの光路２１を有し、光路２１を通過したレーザー光Ｌを放出する開口部２２を一端面に有する筒状の筐体２０を備える。また、照明装置１００は、開口部２２に対向し、当該開口部２２を通過したレーザー光Ｌが照射されることによりレーザー光Ｌを異なる波長に変換して所定の光を発する発光部３０を備える。また、照明装置１００は、筐体２０の一端部に装着されて、発光部３０から発せられた光を放出するキャップ部５０を備える。また、照明装置１００は、筐体２０にキャップ部５０が装着されると光路２１を開放し、筐体２０からキャップ部５０が取り外されると光路２１を閉塞するシャッター部６０を備える。
【００４６】
この構成によれば、筐体２０からキャップ部５０が取り外されるとシャッター部６０が光路２１を閉塞する。これにより、メンテナンスに際して照明装置１００が分解されて、キャップ部５０が筐体２０から取り外されたとしても、シャッター部６０がそれ以上のレーザー光の進行を遮ることになる。このため、分解時に光源が万が一発光したとしても、照明装置１００の外方にレーザー光Ｌは出射されない。したがって、アイセーフ機能を高めることができる。
【００４７】
また、筐体２０には、光路２１に交差するように延在する穴部２６が形成されている。また、シャッター部６０は、穴部２６に配置され、貫通孔６１１を有する開閉部材６１を備える。開閉部材６１は、貫通孔６１１と光路２１とが連通して光路２１を開放する開放位置と、貫通孔６１１が光路２１から外れて光路２１を閉塞する閉塞位置との間を移動可能である。
【００４８】
この構成によれば、開閉部材６１が開放位置と閉塞位置との間を移動可能であるので、開閉部材６１を移動させることで、簡単に光路２１を開閉することができる。
【００４９】
また、シャッター部６０は、さらに、開閉部材６１に対して所定の方向に付勢する付勢部６２を備える。キャップ部５０が筐体２０の一端部に装着されると、キャップ部５０によって開閉部材６１が穴部２６内に押し込まれることで、開閉部材６１が開放位置に配置される。一方、キャップ部５０が筐体２０の一端部から取り外されると、付勢部６２からの付勢によって開閉部材６１が開放位置から移動して閉塞位置に移動する。
【００５０】
この構成によれば、キャップ部５０を筐体２０から取り外す際に、付勢部６２の付勢を用いて開閉部材６１を開放位置から移動させて光路２１を閉塞しているので、キャップ部５０の着脱に連動させて開閉部材６１による光路２１の開閉を実現することができる。
【００５１】
また、筐体２０の一端部には雄ネジ２５が形成されており、キャップ部５０には雄ネジ２５が螺合する雌ネジ５３が形成されている。また、穴部２６の一端部は、雄ネジ２５の周面の一部から露出されている。そして、キャップ部５０の雌ネジ５３は、筐体２０の一端部の雄ネジ２５に螺合する際に、穴部２６内の開閉部材６１を押し込むことで、開閉部材６１を開放位置に配置する。
【００５２】
この構成によれば、雄ネジ２５と雌ネジ５３との螺合によってキャップ部５０が筐体２０に装着されているので、キャップ部５０と筐体２０とを強固に組み立てることができる。また、雌ネジ５３の凹凸を用いて、開閉部材６１を穴部２６内に押し込んで、開放位置に移動させているので、開閉部材６１を移動させるための専用の構造を別途設けなくともよい。したがって、照明装置１００の複雑化を抑制することができる。
【００５３】
［変形例］
次に、本実施の形態に係る変形例について説明する。
【００５４】
図７は、変形例に係る照明装置１００Ａの概略構成を示す断面図であり、具体的には図３に対応した図である。図８は、変形例に係る照明装置１００Ａの概略構成を示す断面図であり、具体的には図５に対応した図である。
【００５５】
なお、変形例では、実施の形態に係る照明装置１００と同一の部分においては同一の符号を付してその説明を省略し、異なる部分についてのみ説明する。
【００５６】
図７及び図８に示すように、照明装置１００Ａの筐体２０ａの一端部には、切り欠き２７が全周に亘って形成されている。この切り欠き２７は、キャップ部５０ａを係止するための部位である。
【００５７】
また、筐体２０ａの一端部には、第一穴部２６ａと、第二穴部２６ｂとが形成されている。第一穴部２６ａは、光路２１に交差するように延在した長尺状の穴部である。第一穴部２６ａ内には、シャッター部６０ａの開閉部材６１ａ及び付勢部６２が配置されている。ここで、開閉部材６１ａにおいては、その他端部が他端に向かうにつれて低くなる傾斜面６５となっている。
【００５８】
第二穴部２６ｂは、筐体２０の一端面から光路２１と平行に延在した長尺状の穴部である。付勢部６２が伸長している場合には、開閉部材６１ａは、傾斜面６５が第二穴部２６ｂ内に位置するように配置されている（図８参照）。この位置が開閉部材６１ａの閉塞位置である。
【００５９】
キャップ部５０ａの内周面には、当該キャップ部５０ａが筐体２０ａに装着された際に、筐体２０ａの切り欠き２７に係合する突起５６が形成されている。また、キャップ部５０ａの内底面には、リブ５７が立設している。このリブ５７の先端部は、先端に向かうにつれて外方に傾く傾斜面５７１となっている。リブ５７は、キャップ部５０ａが筐体２０ａに装着される際に、第二穴部２６ｂ内に進入する。このとき、リブ５７の傾斜面５７１が開閉部材６１ａの傾斜面６５に当接して、開閉部材６１ａを第一穴部２６ａ内に押し込む。これにより、開閉部材６１ａが開放位置に配置され、発光部３０で発せられた光を放出可能な状態となる（図７参照）。
【００６０】
（その他の実施の形態）
以上、本発明に係る照明装置について、上記実施の形態及び変形例に基づいて説明したが、本発明は、上記の実施の形態に限定されるものではない。
【００６１】
上記実施の形態では、照明装置１００の外部に半導体レーザー素子を備えた光源装置１４９が設けられ、光ファイバー１５０によりレーザー光を伝送して照明装置１００内に導入していたが、この態様に限定されるものではない。例えば、照明装置１００は、筐体２０の一端部に、光軸Ｌ１のレーザー光Ｌを放射することのできる半導体レーザー素子を備えていてもかまわない。
【００６２】
また、発光部３０は、レーザー光Ｌのビーム径を広げる光学系など種々の光学系を備えるものでもかまわない。例えば、入射したレーザー光を効率よく蛍光体に照射するための反射膜などを光学系として備えていてもよく、また、発光部３０が放射した光を拡散して放出する透光性のカバーなどを光学系として備えてもかまわない。
【００６３】
また、本実施の形態では、付勢部６２が圧縮されて変形した際に開閉部材６１が開放位置に配置され、付勢部６２が弾性復帰した際に開閉部材６１が閉塞位置に配置される場合を例示した。しかし、これとは逆に、付勢部材が弾性復帰した際に開閉部材６１が開放位置に配置され、付勢部が変形された際に開閉部材６１が閉塞位置に配置されるようにしてもよい。
【００６４】
また、上記実施の形態では、発光部３０が筐体２０の開口部２２を覆っている場合を例示して説明したが、発光部３０は、開口部２２におけるレーザー光Ｌが通過する部位だけを覆っていればよい。つまり、発光部３０はレーザー光Ｌのスポット径全体を受光する範囲で開口部２２に対向して配置されていればよい。また、発光部３０は、キャップ部５０に取り付けられていてもよい。この場合、光学部材５２に変えて発光部３０が取り付けられていてもよい。
【００６５】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００６６】
２０、２０ａ  筐体
２１  光路
２２  開口部
２５  雄ネジ
２６  穴部
３０  発光部
５０、５０ａ  キャップ部
５３  雌ネジ
６０、６０ａシャッター部
６１、６１ａ  開閉部材
６２  付勢部
１００、１００Ａ  照明装置
６１１  貫通孔
Ｌ  レーザー光
【図１】
0006660592.tif 000002
【図２】
0006660592.tif 000003
【図３】
0006660592.tif 000004
【図４】
0006660592.tif 000005
【図５】
0006660592.tif 000006
【図６】
0006660592.tif 000007
【図７】
0006660592.tif 000008
【図８】
0006660592.tif 000009